Podtech/llm-jp-corpus-v4-ja_patent huggingface dataset:
(57)【要約】      （修正有）【課題】少ない石材で管理し易い墓を提供する。【解決手段】外柵・納骨室・石碑を一体化し、納骨室の開閉が遺族にできる事で管理し易く、草の刈り取りの必要もない。又、故人の供養は年忌が明けた処で遺族が納骨室内の底である土の中に遺骨を還す。【選択図】図２
2013087614.tif 000002
【特許請求の範囲】
【請求項１】
二つ以上の部屋を設けたことを特徴とする納骨室
【請求項２】
石碑と納骨室、更には外柵を一体化したことを特徴とする納骨室
【請求項３】
個人情報の漏えいを防ぐことを特徴とする納骨室
【請求項４】
遺族に収納・管理をしやすくしたことを特徴とする納骨室
【請求項５】
狭い場所にも設置できるお墓を形成する事を特徴とする納骨室
【請求項６】
室内に雨水が浸入しても溜らない事を特徴とする納骨室
【請求項７】
中棚によって匂いを通さないことを特徴とする納骨室
【請求項８】
通気性を高めたことを特徴とする納骨室
【請求項９】
自然光が室内に入ることを特徴とする納骨室
【発明の詳細な説明】
【技術分野】
【０００１】本発明は、墓石・納骨室・墓地外柵に関するものでこれらを一体化したものである。
【背景技術】
【０００２】墓には故人を納める納骨室、これを安定させ隣地の境界を定める為に墓の周囲に柵を設けその中に亡くなられた方々を祀る為に石碑・石塔を建ててきた。
また、墓地不足に対し寺院内の墓地の拡大は周辺住民との調整や、トラブルの元になっている。
又、郊外に霊園の開園に対しても自然破壊に繋がったり、墓参時間が掛り過ぎるという問題があり、出来るだけ近距離を希望される方が多いのが現状である。
【特許文献１】
【非特許文献１】
【発明の概要】
【発明が解決しようとする課題】
【０００３】墓需要者の希望は身近な場所を求める傾向にありますが、墓区域が少なく、底地が高額の為、建墓費用が高価であること等が問われている。また、墓を清潔に保とうとする思いはあっても現在の墓では草取りも大変な仕事となっている。
個々の遺族に対しての問題以上に、今地球環境が危惧される温暖化を考えますと墓地開発や大量の石材の使用によって採掘が行われる事で自然破壊の拡大が懸念される事と、墓の取得ができず遺骨の放置まで起き、先祖・命を軽視する社会となる事を危惧する。
【課題を解決する為の手段】
【０００４】今までの墓の形態が外柵・納骨室・石碑であったがこれらを全て一体化することで狭い場所に建墓する事が出来。その上、建墓に必要な石材は少なく・納骨室の開閉が遺族にできる事で管理し易く墓が狭いので草の刈り取りの必要もなくなる。
又、故人の供養は年忌が明けた処で遺族が納骨室内の底である土の中に遺骨を還す事で亡くなられた方が自然界へ還り納得の行く墓形態が造られ、先祖と遺族の繋がりを強める事が出来る。
【発明の効果】
【０００５】都市部における墓事情に即した墓の形態にする事で多くの遺族が墓を求められる。又、材料を少なくする事で自然界にやさしい産業となる。
【図面の簡単な説明】
【０００６】
【図１】考案した納骨室の全景の透視図である。
【図２】考案した納骨室の扉を開いた全景の透視図である。
【図３】考案した納骨室の扉を閉じた断面図である。
【図４】考案した納骨室の扉を開いた断面図である。
【発明を実施するための最良の形態】
【０００７】この納骨室は、石碑・納骨室・外柵を一体化して石材、或は長期に亘り変質しない材料で四方の壁・天井にも同材を持って形成し、複数の部屋を設ける。
取りあえず二部屋として紹介をする。下の部屋の底板は無く土間である。
ここは、長年供養して年忌を終えた方の遺骨を壺から出してこの土の中に納める場所である。一方上の部屋は直近で亡くなられた方を納め周囲を飾る場所である。そのため、この部屋は遺骨を置く飾り棚や上部から自然光が降り注ぐ天窓を要し。通気性を考え通気口を設置する。扉は部外者が開ける事の無い様に施錠をし、更に押扉によって密閉さを保つ。
また、下の部屋は湿度が高くなるので匂いの押さえの為に上下の部屋を仕切る。これは１枚の石板、或はこれに変わる不変材料で仕切る。
【実施例】
【０００８】この納骨室は設置場所で組み立て施工は当然出来るが、設置場所によっては、予め工場で加工組み立てを行い設置場所へは吊り上げ重機で完成品を設置する事も可能。狭く入口の無いお墓が寺墓地には多いので、この様な場所は一つ一つの部材として搬入する事も出来、現在の軽薄短小の事業形態の多い時代に合わせたお墓である。
【産業上の利用可能性】
【０００９】石材業界をはじめ供養産業自体が昭和５０年代から始まった過度の祭祀から現在は費用は少なく意味ある葬送をと考える方が多くなりました。
当然嘗ての賑わいは影を落とし、同時に石材業界から離れる事業者が増加しています。今までに生前墓を勧め最盛期を経た、その利潤の高さを聞いた異業種が参入して次から次えと職人の技を海外に流出した。
現在に至っては、移した海外の生産拠点は近代的な産業に生産人口が移行して廃業に追い込まれる事業所も少なくない。
石材業界を存続する為には、消費者が手軽に購入できるお墓を提供して行かなければない。また、技術者が減少している石材業界に異業種から転職しやすい作業を提案していかなければならない。その両者を担う事の出来るのがこの度考案した石碑型納骨室である。
【符号の説明】
【００１０】１・・・飾り扉
２・・・納め扉
３・・・押扉
４・・・飾り棚
５・・・通気口
６・・・天窓
【受託番号】
【図１】
2013087614.tif 000003
【図２】
2013087614.tif 000004
【図３】
2013087614.tif 000005
【図４】
2013087614.tif 000006
(57)【要約】      （修正有）【課題】地震、津波、台風、洪水、火災、山津波、雷、竜巻、等の緊急避難場所を提供する。【解決手段】水上推進装置としてウオータージェット５を有し装甲性、耐震性、水密性、気密性、断熱性、耐火性の性能を有する災害用緊急避難カプセル（簡易据置型）であり、３昼夜以上の避難場所として、また災害回避後救助されるまでの数日間においても生活可能なものとする。【選択図】図４
2013087619.tif 000002
【特許請求の範囲】
【請求項１】
災害から生命身体を守る強固な災害用緊急避難カプセル（簡易据置型）とする。
【請求項２】
外殻は鋼製にて装甲性能を有する。
【請求項３】
開口部は水密性にてカプセル本体は水に浮く。
【請求項４】
ウオータージェットを有し水上航行が可能である。
【請求項５】
外装及び内装は断熱性、耐火性、耐衝撃性の有るシート被覆とする。
【請求項６】
なるべく早く、秒単位で乗り込める構造とする。
【請求項７】
カプセル本体は、土台にも取り合い通路にも固定しておらず、洪水時には自然に離脱し浮遊する。
【請求項８】
乗り込んだ者等が生還出来るまでのプロセスに必要な設備、備品等を有する。
【発明の詳細な説明】
【技術分野】
【０００１】本発明は災害用緊急避難カプセル（簡易据置型）に関する。
【背景技術】
【０００２】現在出願されているものでは東日本大震災において実用性に欠しいので実際に普及出来る実用的な物とする。
【発明の開示】
【発明が解決しようとする課題】
【０００３】東日本大震災にかんがみ、この様なハードな緊急大災害にも耐え生還出来る乗物とする。またできれば地震速報を見たり聴いたりした後、地震が来るまでの数秒間においても避難できる構造とする。また生還した後救助が来るまでの使用にも耐えるものとする。
【課題を解決するための手段】
【０００４】図１ないし図５の通り。
【発明の効果】
【０００５】人類の存続に寄与する。
【発明を実施するための最良の形態】
【０００６】なるべく早く、秒単位で乗り込める構造とする。またクレーン等で移動が簡単である。
【実施例】
【０００７】図４は１階から使用する形態の概念図である。図５は２階から使用する形態の概念図である。
【図面の簡単な説明】
【０００８】
【図１】  災害用緊急避難カプセル（簡易据置型）の外観正面図である。
【図２】  災害用緊急避難カプセル（簡易据置型）の外観側面図である。
【図３】  災害用緊急避難カプセル（簡易据置型）の平面図及び住居との取り合い図である。
【図４】  災害用緊急避難カプセル（簡易据置型）の断面図及び住居１階との取り合い図である。
【図５】  災害用緊急避難カプセル（簡易据置型）の断面図及び住居２階との取り合い図である。
【符号の説明】
【０００９】    １  水上航行可能装甲カプセル本体
２  バッテリー常時充電用太陽電池パネル
３  換気、採光、脱出用透明窓
４  耐水密性ドア
５  ウオータージェット（前進後進兼用）
６  電気及びウオータージェット操作パネル
７  換気、採光、脱出用透明サンルーフ
８  倒立防止兼救助吊り上げ用フック掛け
９  救助曳航用フック掛け
１０  ヘッドライト
１１  非常灯救助灯
１２  シートベルト付き座席
１３  備品棚
１４  重り兼用バッテリー
１５  水面用可動式水平バランス重り
１６  住居１階
１７  住居２階
１８  スライド式取り合い通路
１９  スライド式通路取り付け調整用ジャッキ
２０  架台
２１  １階駐車場
【図１】
2013087619.tif 000003
【図２】
2013087619.tif 000004
【図３】
2013087619.tif 000005
【図４】
2013087619.tif 000006
【図５】
2013087619.tif 000007
(57)【要約】【課題】  災害時には、社会的インフラの下水道施設が損傷を受け、トイレの使用が不可能となる。その為、多くの被災民が日常生活に支障をきたす。被災地には長期間多人数が使用できる仮設トイレが必要である。【解決手段】  上記の課題を解決する為、本発明は、雨水貯留槽、雨水滞水池、の施設を、災害時に仮設トイレが設置できる構造とする事により、被災地に長期間、多人数が使用できる仮設トイレが可能となる。【選択図】図３
2013087618.tif 000002
【特許請求の範囲】
【請求項１】
雨水貯留槽又は雨水滞水池に点検用マンホール（２）とは別に仮設トイレ用穴（３）を設置した雨水貯留槽又は雨水滞水池
【請求項２】
請求項１の雨水貯留槽又は雨水滞水池において、安全柵（９）、ガイド板（１０）、蓋（１２）を具備した仮設トイレ用穴（３）を設置した雨水貯留槽又は雨水滞水池
【発明の詳細な説明】
【技術分野】
【０００１】  本発明は、雨水貯留槽又は雨水滞水池を災害時に仮設トイレとして利用する技術である。
【背景技術】
【０００２】  従来の仮設トイレは排泄物の貯留部分が小さいので、長期間、多人数が使用できる仮設トイレとして使用することが出来なかった。
従来の雨水貯留槽の技術を図１に示す。雨水流入管（１）に流入した雨水は、雨水貯留槽に流入し水位（５）は上昇する。流入した雨水は、雨天が終了した後、排水ポンプ（４）により、開渠又は河川に排出する。この事により、雨天時に河川又は開渠に流出する雨水量の急激な増加が削減でき、流出する雨水の平準化が可能となるので浸水の防止ができる。
従来の雨水滞水池の技術を図２に示す。雨水流出管（１）に流入した合流式下水道の雨天時汚水は、雨水吐きで雨水堰を越流して、雨水滞水池に流入し水位（５）は上昇する。雨水滞水池に流入した雨水は、雨天が終了した後、排水ポンプ（４）により、下水処理場へ送水される。この事により、雨水中に含まれる汚染物質を河川に無処理で放流することが防止でき、環境汚染を防止することができる。又、河川への流出雨水量が削減でき、浸水の防止にも寄与できる。
しかし、雨水貯留槽、雨水滞水池、共に、晴天時は空で有り、災害時にトイレ汚水の貯留が可能な容量を有するが、現在の構造では仮設トイレを設置する事は出来ないので災害時に長期間、多人数が使用できる仮設トイレとして使用することが出来ない。
【発明が解決しようとする課題】
【０００３】  災害時には、社会的インフラの下水道施設が損傷を受け、下水道へ流出する水洗トイレの使用が不可能となる。その為、多くの被災民が日常生活に支障をきたす。被災地には長期間、多人数が使用できる仮設トイレが必要である。
【課題を解決するための手段】
【０００４】  雨水貯留槽、雨水滞水池、は学校、公園、等の公共の場所に設置される場合が多い。これらの施設は、通常時、浸水の防止、環境汚染の防止に使用することができる社会的に有効な施設である。これらの施設を、災害時に仮設トイレが設置できる構造とする事により、被災地に長期間、多人数が使用できる仮設トイレが可能となる。
【発明の実施形態】
【０００５】  本発明の雨水貯留槽における実施形態の例を図３に示す。雨水貯留槽の天井部に点検用のマンホール（２）とは別に仮設トイレ用穴（３）を設置し仮設トイレ（１１）よりの排泄物が雨水貯留槽に落下させ貯留させる構造とする。図３は雨水貯留槽の天井部がＧＬ部（地表部）に有る場合を示しているが、天井部が地下の場合でも、天井部に仮設トイレ用穴（３）を設置すれば、地下式の雨水貯留槽でも仮設トイレ（１１）の設置が可能である。
仮設トイレ用穴（３）の詳細を図４に示す。仮設トイレ用穴（３）の上部には、仮設トイレ（１１）を設置する。又、仮設トイレ用穴（３）の下部には人間の落下を防止する安全柵（９）と、雨水貯留槽の底を直視できる事を防止するガイド板（１０）を設置する。
通常時、仮設トイレ用穴（３）に仮設トイレ（１１）設置せず、蓋（１２）を設置しておく。
通常時、仮設トイレ（１１）雨水は雨水流入管（１）より雨水貯留槽に流入し水位（６）は上昇する。流入した雨水は、雨天が終了した後、排水ポンプ（４）により、開渠又は河川に排出する。災害時、雨水貯留槽を仮設トイレ用に使用する場合は、仕切弁（８）を閉とし、雨水流入管（１）より雨水貯留槽へ雨水が流入する事を防止する。
尚、災害時、雨水貯留槽を仮設トイレ用に使用している期間に発生した雨水は、雨水流入管（１）より越流させ、河川又は開渠に直接流出させる。
雨水貯留槽に貯留された排泄物は、汚水ポンプ（６）で槽外に搬出する。汚水ポンプ（６）の代わりに、バキュウム車で搬出することもできる。
雨水貯留槽内の空気は脱臭装置を経て大気に排出する事により仮設トイレ用穴（３）より悪臭の気散を防止する。
雨水滞水池の場合は、雨水が合流式下水となり、送水先が下水処理場となる。
【発明の効果】
【０００６】  本発明により、雨水貯留槽又は雨水滞水池の容量を有効利用することにより、多人数が長期間使用できる仮設トイレとして使用することが可能となる。
【図面の簡単な説明】
【０００７】
【図１】は従来の雨水貯留槽の技術例を示す。
【図２】は従来の雨水滞水池の技術例を示す。
【図３】は本発明の雨水貯留槽に関する実施例を示す。
【図４】は仮設トイレ用穴の設置例を示す。
【符号説明】
（１）は雨水流入管、（２）はマンホール、（３）は仮設トイレ用穴、（４）は排水ポンプ、（５）は水位、（６）は汚水ポンプ、（７）は脱臭装置、（９）は仕切弁、（１０）はガイド板、（１１）は仮設トイレ、（１２）は蓋、
【図１】
2013087618.tif 000003
【図２】
2013087618.tif 000004
【図３】
2013087618.tif 000005
【図４】
2013087618.tif 000006
(57)【要約】【目的】  この発明は通常は従来と同様に事務用とか食事用のテーブルとして使用し、いざ大地震の際に転倒して転げ回る家具や建物の崩壊などの危険から身を守るために中へ非難する目的のテーブルで、大揺れにより外に放り出されないように、支柱３を設けたことを特徴とする地震用のシェルターテーブルを提供する。【構成】  底壁１より上壁２を支える如く支柱３を設けたもの。【選択図】図１
2013087617.tif 000002
【特許請求の範囲】
【請求項１】
底壁１より上壁２を支える如く、適宜箇所に支柱３を設けたことを特徴とする地震用のシェルターテーブル。
【発明の詳細な説明】
【技術分野】
【０００１】  この発明は大地震の際に身を守るために、中へ避難が出来るもので、図１に示す如く底壁１より上壁２を支える如くに支柱３を設けたことで、荷重に強くしたと共に、中で避難の人が大揺れで外へ放り出されないように掴まる如くしたことを特徴とする、地震用のシェルターテーブルに関するものである。
【背景技術】
【０００２】  従来、我が国では昔から地震のとき、危険を避けるために机の下へ潜るように言われてきた。
しかし、例えばマグニチュード７程度の大地震では、家具等は転倒して転げ回り、建物は倒壊する等で、机の下に潜っていても放り出されたり机ごと潰されるなど安全とは思えなかった。これは従来の机が書を読み器物をのせる台等に用いる目的で作られており、地震避難用としてのものではなかったから当然と言え、あの阪神大震災での犠牲者の８４％以上の死因が圧死、圧迫死だったことからもうなずける。
【発明が解決しようとする課題】
【０００３】  したがって、大地震の大揺れの最中に第一に身体の安全を確保出来る手段を身近に備えておくことが肝要で、東北大震災による２万人にも及ぶ犠牲者の数と、その際の痛み、苦しみを察すれば、明日は我が身と考えるのが賢明で、そのための的確な手段が望まれていた。
【課題を解決するための手段】
【０００４】  本発明はその要望に応えるためのもので、以下にその一実施例について説明する。
イ、図１は本発明の正面図であって、図に示す如く左右の側壁４、４’と共に上壁２を支える如く底壁１との間の中心部に支柱３を設ける。
ロ、当該支柱３は上壁２を支える役割と共に、本発明内に避難の人が地震の大揺れにより外に放り出されないように掴まるためのものでもあるから相応の太さのものとする。又本発明の大きさによっては、図３に示す如く支柱３を複数としても良い。
ハ、本発明は強度を保つ必要から、かなりの重量となることがあるがこの場合、持運びを容易とするため、分解、組立てタイプにしても良い。
【発明の効果】
【０００５】イ、本発明によれば大地震の時、いち早く中に入り、支柱３に掴まり又はしがみついていれば、大揺れでも放り出されること無く安全、事前にヘルメット、布団等を中に用意しておき、大揺れの最中にこれらを被り、羽織れば一層安全。
ロ、従来の２本足、４本足のテーブルの下に避難の場合、そのテーブルが大揺れで横方向に動き、その際足が折れたりつんのめって横転することが考えられた。こんな時、下に避難の人は無防備となり極めて危険だったが、本発明は底壁が扁平により横方向に滑り動くことは有っても、横転することは考えにくいから、中に避難の人は支柱３にしっかり掴まり、揺れの治まるのを待てば安全。
ハ、支柱３を設けたことにより上壁２の支えが強化され歪みにも強くなり、落下物の他、家具が倒れかかったり、天井が崩れ落ちるなど、最悪の場合でも中に避難の人の安全はかなり守られる。
ニ、我が国には旧建築基準法により建てられた古い木造家屋が多く、しかも重い瓦で葺いてある場合は致命的に大地震に弱い。しかしながら経済的な理由などから対策がとれず、諦め状態の家庭が多い。
それでもこうした場合に、家財は失っても身体だけは本発明により守れる。
ホ、本発明の使用においては従来のテーブルと同様で、支柱３が邪魔になることは殆ど無く、食卓とか勉強机とか事務机或いは作業台等々あらゆる場所と用途において大地震の恐怖を安らいでくれ、命が守れる効果は実に大。
ヘ、本発明を客商売等で使用し、その旨宣伝すれば、いつ大地震が起こっても安心として客寄せ効果が期待できる。
【図面の簡単な説明】
【０００６】
【図１】  本発明の正面図
【図２】  本発明の斜視図
【図３】  本発明の支柱３を複数にした斜視図
【符号の説明】
【０００７】１、底壁  ２、上壁  ３、支柱  ４、左側壁  ４’、右側壁  ５、補強部
【図１】
2013087617.tif 000003
【図２】
2013087617.tif 000004
【図３】
2013087617.tif 000005
(57)【要約】【課題】従来構成の２ピストン圧縮機用アキュームレータでは、内管から吸入孔までの流路長さを同一にするために、アキュームレータの内管高さに差異が生じていた。その場合においては、アキュームレータ内の液戻り防止高さを確保するために、余分な胴シェル材料を要しており、コストの増加に繋がっていた。さらに、内管の共振が騒音の増加を引き起こしていた。【解決手段】本構成の２ピストン圧縮機用アキュームレータでは、内管５、６の形状を螺旋形状とし、両内管の吸入位置高さを同一とすることで、慣性効果を高め圧縮機の高性能化を実現しながら、コスト削減、騒音防止、および圧縮機吸入口オーバーフローを防止する。【選択図】図１
2013087686.tif 000002
【特許請求の範囲】
【請求項１】
密閉容器と、前記密閉容器の上端部中央を貫通する冷媒吸入管と、前記密閉容器の下端部を貫通して密閉容器内部に向かって伸びる内管と、前記冷媒吸入管と内管との間に配置された仕切板とを有する２ピストン圧縮機用アキュームレータにおいて、両内管の形状を螺旋状形状とし、両内管の吸入位置高さが同一であることを特徴とする２ピストン圧縮機用アキュームレータ。
【請求項２】
使用する冷媒にＨＦＣ３２とＨＦＣ１２５の混合冷媒を用いた、請求項１に記載の２ピストン圧縮機用アキュームレータ。
【発明の詳細な説明】
【技術分野】
【０００１】
本発明は、空気調和器や冷蔵庫等の冷凍機器に用いられる圧縮機として使用される２ピストン圧縮機用アキュームレータに関するものである。
【背景技術】
【０００２】
従来の圧縮機用アキュームレータは、一般的に、上蓋と下蓋と胴シェルによって構成される密閉容器と、前記密閉容器の上端部中央を貫通する冷媒吸入管と、前記密閉容器の下端部を貫通して密閉容器内部に向かって直立する内管と、前記冷媒吸入管と内管との間配置された仕切板と、前記仕切板に設けられた複数の冷媒流通孔とを有する。この従来の圧縮機用アキュームレータにおいて、図２に示されるように冷媒が吸入される時点での圧力損失の度合いを同一にし、慣性効果を高めることで高効率化を実現するために、２本の内管のうち長い内管をもう１本の短い内管と同じ流路長さにする技術が提案されている（例えば、特許文献１参照）。圧縮機運転時には冷媒がアキュームレータ内に配置された各々の内管上部から導入され、圧縮機吸入孔へと導かれる。
【先行技術文献】
【特許文献】
【０００３】
【特許文献１】特開２０１０−１０１２５３号公報
【発明の概要】
【発明が解決しようとする課題】
【０００４】
しかしながら、前記従来の圧縮機用アキュームレータでは、各々の内管の吸入位置高さが異なっており、圧縮機吸入孔への液戻り防止高さを確保するために、余分な胴シェル材料を要しており、コストの増加に繋がっていた。さらには、内管の共振が騒音の増加を引き起こすという課題があった。
【０００５】
本発明は、上記従来の課題を解決するもので、２本の内管内での圧力損失を等価とすることで、慣性効果を高め圧縮機の高性能化を実現しながら、コスト削減、騒音防止、および圧縮機吸入口オーバーフローを防止する２ピストン圧縮機用アキュームレータを提供することを目的とする。
【課題を解決するための手段】
【０００６】
上記従来の課題を解決するために、本発明の２ピストン圧縮機用アキュームレータは、密閉容器と、前記密閉容器の上端部中央を貫通する冷媒吸入管と、前記密閉容器の下端部を貫通して密閉容器内部に向かって伸びる内管と、前記冷媒吸入管と内管との間に配置された仕切板とを有する２ピストン圧縮機用アキュームレータにおいて、両内管の形状が螺旋形状であり、両内管の吸入位置高さが同一である。
【発明の効果】
【０００７】
本発明によれば、従来構成での効果を有しながら、各々の内管の吸入位置高さの差異を解消し、余分な胴シェル材料を用いることがないので、コスト削減になる。また、内管に螺旋状の部位を有することで、内管の剛性が向上するので、共振が起こりにくくなり、圧縮機の騒音増加を防止することができる。さらに、アキュームレータ内の冷媒とオイルによるフォーミング現象時には、両内管の螺旋形状が抵抗となり、圧縮機吸入孔へのオーバーフローが防止される。
【図面の簡単な説明】
【０００８】
【図１】本発明の実施の形態における圧縮機用アキュームレータの断面図
【図２】従来技術における圧縮機用アキュームレータの断面図
【発明を実施するための形態】
【０００９】
第１の発明は、密閉容器と前記密閉容器の上端部中央を貫通する冷媒吸入管と、前記密閉容器の下端部を貫通して密閉容器内部に向かって伸びる内管と、前記冷媒吸入管と内管との間に配置された仕切板と、前記仕切板に設けられた複数の冷媒流通孔を有する２ピストン圧縮機用アキュームレータにおいて、両内管の形状を螺旋状形状とし、両内管の吸入位置高さが同一である。これにより、２本の内管内での圧力損失を等価とすることで、慣性効果を高め圧縮機の高性能化を実現しながら、各々の内管の吸入位置高さの差異を解消し、余分な胴シェル材料を用いることがないので、コストの削減となる。また、内管に螺旋状の部位を有することで、内管の剛性が向上するので、共振が起こりにくくなり、圧縮機の騒音増加を防止することができる。さらに、アキュームレータ内の冷媒とオイルによるフォーミング現象時には、両内管の螺旋形状が抵抗となり、圧縮機吸入孔へのオーバーフローが防止される。
【００１０】
第２の発明は、第１の発明において、使用する冷媒にＨＦＣ３２とＨＦＣ１２５の混合冷媒を用いた２ピストン圧縮機用アキュームレータである。これにより、第１の発明と同様の効果が得られる。
【００１１】
以下、本発明の実施の形態について、図面を参照しながら説明する。なお、この実施の形態によってこの発明が限定されるものではない。
【００１２】
（実施の形態）
図１は本実施の形態における圧縮機用アキュームレータの模式図である。図１においてアキュームレータ１は、上蓋２と下蓋４と胴シェル３によって構成される密閉容器と前記密閉容器の上端部中央を貫通する冷媒吸入管１１と、密閉容器の下端部を貫通して密閉容器内部に向かって伸びる内管５、６と、前記冷媒吸入管と内管との間に配置された仕切板８とを有する２ピストン圧縮機用アキュームレータにおいて、内管５、６の形状に螺旋形状部位を有し、両内管の吸入位置高さを同一にする。
【００１３】
これにより、従来構成での効果を有しながら、各々の内管の吸入位置高さの差異を解消し、余分な胴シェル材料を用いることがないので、コストの削減になる。また、内管に螺旋状の部位を有することで、内管の剛性が向上するので、共振が起こりにくくなり、圧縮機の騒音増加を防止することができる。さらに、アキュームレータ内の冷媒とオイルによるフォーミング現象時には、両内管の螺旋形状が抵抗となり、圧縮機吸入孔へのオーバーフローが防止されるので、さらに信頼性の高い圧縮機用アキュームレータを提供することができる。
【産業上の利用可能性】
【００１４】
以上のように、本発明における圧縮機用アキュームレータは、その大小に拘らず、あらゆる密閉型電動圧縮機のアキュームレータに適用可能である。
【符号の説明】
【００１５】
１  アキュームレータ
２  上蓋
３  胴シェル
４  下蓋
５  内管
６  内管
８  仕切板
１１  冷媒吸入管
【図１】
2013087686.tif 000003
【図２】
2013087686.tif 000004
(57)【要約】【課題】  サイズ変更ができる収納ポケットを提供する。【解決手段】  折り曲げる又はフラップを長くする手段でサイズ変更ができることを特徴とする収納ポケット。【選択図】図３
2013087408.tif 000002
【特許請求の範囲】
【請求項１】
折り曲げる手段でサイズ変更ができることを特徴とする収納ポケット。
【請求項２】
折り曲げる手段でサイズ変更ができることを特徴とするズボンの後部収納ポケット。
【請求項３】
フラップをポケットの下部の方向に長くしてその裏側の全体又は何箇所かの任意の部分に固定具を装着した収納ポケット。
【発明の詳細な説明】
【技術分野】
【０００１】本発明は、折り曲げることができる又はフラップを長くした衣類、バッグ等の収納ポケットに関するものである。
【背景技術】
【０００２】従来、収納ポケットのサイズは固定されたものであった。
【発明の開示】
【発明が解決しようとする課題】
【０００３】収納ポケットには次のような問題点があった。
財布を例えばズボンのポケットに収納する場合、収納ポケットを短財布用のサイズにすると、長財布ははみ出す事になり不安定な状態になる。又長財布用のサイズにして短財布を収納すると、下方でぶらつくことになり不快感を与える。
【課題を解決するための手段】
【０００４】（イ〕長財布用のサイズのポケットであれば、短財布を収納する時、折り曲げて長さを短くする。そのための固定具としてマジックテープあるいはホック等を所定の位置に設ける。
（ロ）短財布用のサイズのポケットであれば、フラップをポケットの下方の方向に長くする。フラップとポケットの間の固定具としてマジックテープあるいはホック等を所定の位置に設ける。
【発明の効果】
【０００５】（イ）長財布用のサイズのポケットにおいて、短財布を収納する時、そのサイズに合わせポケットを折り曲げ財布を固定するので下方でぶらついて不快感を与えることはない。
（ロ）短財布用のサイズのポケットにおいて、長財布を収納する時、そのサイズに合わせフラップを折り曲げ財布を固定するので安定して収納できる。
【発明を実施するための最良の形態】
【０００６】以下、本発明の実施例について説明する。
（イ）ポケット（２）の表側にマジックテープ（３）及び（４）を貼り付ける。長財布はそのまま収納するが、短財布を収納する時は第３図の横断面図に示す如く収納ポケットを折り曲げマジックテープをくっ付ければよい。貼り付けるマジックテープの範囲は広い方が細かいサイズの変更が可能になる。枚数は任意である。固定具はマジックテープ、ホックその他である。ズボン以外にも衣類全般、バッグその他にも実施できる。
（ロ）フラップ（５）をポケット（６）の下方の方向に長くして裏側の全体又は一部にマジックテープあるいはホック等の固定具を設ける。フラップの長さはポケットの下部を越えて長くしてもよい。その方がより長い物を収納できる。又、第４図、第５図、第６図に示すようにポケットの表側の全体又は一部にマジックテープあるいはホック等の固定具を設ける。
【図面の簡単な説明】
【０００７】
【図１】本発明の正面図。
【図２】本発明の横断面図。
【図３】本発明の横断面図。
【図４】本発明の正面図。
【図５】本発明の横断面図。
【図６】本発明の横断面図。
【符号の説明】
【０００８】１  開口部
２  収納ポケット
３  マジックテープ
４  マジックテープ
５  フラップ
６  収納ポケット
７  マジックテープ
８  マジックテープ
【図１】
2013087408.tif 000003
【図２】
2013087408.tif 000004
【図３】
2013087408.tif 000005
【図４】
2013087408.tif 000006
【図５】
2013087408.tif 000007
【図６】
2013087408.tif 000008
(57)【要約】【課題】従来の、後頭部の日除け幕付き帽子は日除け幕が不要の時、邪魔になる。着脱式の帽子もあるが、帽子やヘルメット、日除け幕の素材、柄や大きさを選ぶことは出来ない。本発明は、頭部取り付け用バンド以外は、任意で選択できる後頭部日除け取り付けバンドを提供する。【解決手段】頭部取り付け用バンドに、日除け幕取り付けスペースを設け、お気に入りのタオルや手ぬぐい、バンダナ等を取り付け、お気に入りの帽子やヘルメットを自分で選べ、容易に取り付け交換できることを特徴とする後頭部日除け幕取り付けバンド。【選択図】図１
2013087406.tif 000002
【特許請求の範囲】
【請求項１】
頭部取り付け用バンドに、日除け幕を着脱自在に取り付けるスペースを設けた後頭部日除け幕取り付けバンド。
【発明の詳細な説明】
【技術分野】
【０００１】  本発明は後頭部の日射を防ぐ幕を取り付けるためのバンドに関するものである。
【背景技術】
【０００２】  従来、後頭部の日射を防ぐには、専用の日除け幕付き帽子をかぶるか、日傘をさすのが知られている。
【先行技術文献】
【０００３】
【特許文献１】特開２００５−２９９０１号広報
【特許文献２】特開２００７−７０７３９号広報
【発明の概要】
【発明が解決しようとする課題】
【０００４】  後頭部の日除けは日除け幕付き帽子を使用するが、幕が不要の場合、邪魔になる。取り外し式の物もあるが、任意の日除け幕を付けたり他の帽子や直接頭部に日除け幕を取り付けることはできない。
本発明は、以上の問題点を解決するためになされたものである。
【課題を解決するための手段】
【０００５】  上記問題点を解決するため本発明は、伸縮自在のバンドに日除け幕を取り付けるスペースを設けたものである。
【発明の効果】
【０００６】  従来、日除け幕付き帽子は、帽子の種類や日除け幕の素材、色や柄、大きさなどを自由に選ぶ事はできないが、本発明は、お気に入りのタオルやバンダナ、手ぬぐいなどを用意すれば、お気に入りの帽子やヘルメットに、日除け幕を取り付ける事ができる。
【図面の簡単な説明】
【０００７】
【図１】本発明の日除け幕取り付け時の斜視図
【図２】本発明の日除け幕取り付けスペースの斜視図
【図３】本発明の日除け幕取り付けスペースの断面図
【図４】本発明の使用状態を示す斜視図
【発明を実施するための形態】
【０００８】  以下、本発明の実施の形態を説明する。
（イ）日除け幕取り付け材（２）に、日除け幕（５）の取り付けスペース（３）を設ける。
（ロ）頭部取り付けようバンド（１）は、伸縮自在で、ヘルメットや帽子（４）にフリーサイズで取り付け可能である。
本発明は以上のような構造である。
本発明を使用するときは、日除け幕取り付け材（２）の３つ折部分を開き日除け幕取り付けスペース（３）に日除け幕（５）を２つ折りにして巻き込み固定し、頭部取り付け用バンド（１）を伸ばし、ヘルメットや帽子（４）に取り付ける。
【符号の説明】１  頭部取り付け用バンド、２  日除け幕取り付け材、３  日除け幕取り付けスペース、４  ヘルメットや帽子、５  日除け幕
【図１】
2013087406.tif 000003
【図２】
2013087406.tif 000004
【図３】
2013087406.tif 000005
【図４】
2013087406.tif 000006
(57)【要約】【課題】  平らでない凹凸のある床の上でも，４本脚の高さを調節して，安全に作業の出来る高さ調整脚立を提供する。  【解決手段】    脚立は平らな床に立てて，安定させて高所作業を行うものであるが，床が高い箇所，低い箇所  等の凹凸がある場合でも，安全作業を行うために，低い箇所の脚の固定金具を抜き取り，長さ  調整柱を現場の高さに合わせてスライドさせ，適所で再び固定金具を差込み，床に凹凸がある  現場でも脚立を平行に且つ，安定的に使用できる４脚の高さを調整できる事を特徴とする。【選択図】図１
2013087490.tif 000002
【特許請求の範囲】
【請求項１】
脚立４脚の下部の内部に長さ調整柱を設け、その調整柱の複数の穴に円筒状の金物を通し、両橋をかしめて固定させたものとし，床に凹凸がある場合は，低い箇所の脚の円筒状の先端が曲がる構造の固定金具を抜き取り，長さ調整柱を現場の高さに合わせてスライドさせ，適所で再び固定金具を差込み先端を曲げて，床に凹凸がある現場でも脚立を平行に且つ，安定的に使用できる４脚高さ調整脚立。
【発明の詳細な説明】
【技術分野】
【０００１】
本発明は，脚立を立てる時に床が真っ平らでない凹凸のある場合でも，脚立の脚を４本にそれぞれ高さを調整出来る便利な脚立に関するものである。
【背景技術】
【０００２】
従来，脚立は真っ平らな床に４本脚を立てて倒れないように安定させるものであるが，床に
多少凹凸があっても脚の長さを調整できる脚立は他にも提案されている。
（特許文献１参照）
【先行技術文献】
【特許文献】
【０００３】
【特許文献１】特開２００７−００２４０６号広報ＤＢ，図１
【発明の概要】
【発明が解決しようとする課題】
【０００４】
従来，脚立の４本の脚は床が平らな所に立ち上げるのは当然である。
それは人間が脚立の上にあがって作業をするため，床が平なのは，安全上欠かせない条件
である。しかし，作業をする環境が必ずしも平らな場所ばかりではなく，多少不安定で危険
な場所でも無理した仕事をしなければならない事は多々ある。
そんな危険をおかして，不安定な場所で高い所に上がる場合に備え，４本脚の高さを調整が
出来る構造とした。また，カメラの三脚のように長さを調整して外側から簡単にネジでしめ
る程度では，特に大きい脚立では重量がかかった時，長さがずれる恐れがある。
片側だけがずれて傾く事があれば特に危険であるので傾く事のない脚立を提供する事を目
的として開発したものである。
【課題を解決するための手段】
【０００５】
課題を解決するため本発明は以下の構成とした。
脚立の脚４本の下部内部で調整柱をスライドさせ，適所で固定金具を差込み、高さを調整で
きる構造とした。
例えば，一カ所だけ低いところがあれば其の部分は足を長くなるように調整する。
従来は，現場で高さ調整のため，代用パッキンを探して歩く無駄な時間があり，代用パッキンを見つけてきても，間に合わせの不完全なものであり，本発明は安全な方法として，長さを調整出来る脚立でより安全でスムーズな作業が出来る脚立とした。
脚立本体（１）の４本脚に長さ調整柱（２）を設ける。その調整柱は内部を空洞とし、円筒状の金物を通し、調整柱の側面より出た部分をかしめて固定した長さ調整穴（３）を設け，先端部が曲がる固定金具（４）で確実に位置がずれないように固定するため，作業は安全に行う事が出来る。
【発明の効果】
【０００６】
本発明は，下記の効果を有する。
１．脚立は４本の脚が平らな床に設置して，脚立の上で作業をするのが最も当然な作業方法であるが，万一床に凹凸があり部分的に低い個所があっても脚を伸ばして高さ調整できる。
２．高所作業も安全に作業が出来る。
高さの調整方法も，ネジでしめて調整する方法は，重量が大きい場合はずれて下がる恐れがあるので，図１のように固定金具で確実にとめる事が安全上欠かせない。
従来の脚立は，床が平らでない場合，代用パッキンを探す事が必要であるが，本発明は無駄な時間が不必要である。
３．床が平らでない場合，安全のために脚立を倒れないように押さえる人が何人も必要であるが，そんな余分な人手は必要がない。
【図面の簡単な説明】
【０００７】
【図１】本発明の使用斜視図
【図２】本発明の高さ調整部分拡大斜視図
【図３】本発明の正面図
【図４】本発明の側面図
【図５】本発明の高さ調整部分側面図
【図６】本発明の高さ調整部分拡大断面図
【発明を実施するための最良の形態】
【０００８】
以下，本発明を実施するための最良の形態について説明する。
図１のように，脚立に上がって作業をする為には．片側が低く脚立を立てる事が出来ない場合は，代用のパッキンを探して来て，尚且つ倒れないように下でしつかり押さえる事が安全上欠かせない方法である。
又，代用パッキンを探しても，簡単に見つかるものではなく，間に合わせに何かを使っても極めて危険なので，代用パッキンを使用する他に，低い側に１・２名が下でしっかり押さえる事が欠かせないが，それでも危険率が高い事と作業を終了するまでの時間が多くかかる。本発明では，図２のように高さ調整柱を長くするため，一旦（４）の固定金具を抜いて高さを調整し，適所に奥まで差込んで，先を指で曲げて簡単に折れて抜けない構造とした。
脚４本の高さを均等にして，平らな床の上に脚立を立て作業をするのと同様に安全な作業が
出来る。
高所作業であっても，作業は採算上短時間で終了する事が極めて重要な事と，安全作業として，怪我をしない事は，本人は当然だが監督する立場の人も企業も最も重要であり能率向上と安全作業の観点から欠かすことの出来ない構造である。
【符号の説明】
【０００９】
１．脚立本体
２．高さ調整柱
３．円筒状の金物を差し込んでかしめた、高さ調整穴
４．円筒状で先端が曲がる固定金具
５．滑り止めゴム
【図１】
2013087490.tif 000003
【図２】
2013087490.tif 000004
【図３】
2013087490.tif 000005
【図４】
2013087490.tif 000006
【図５】
2013087490.tif 000007
【図６】
2013087490.tif 000008
(57)【要約】【課題】回転軸方向に並設され、接触することで動力を直接授受する駆動輪と被駆動輪が、両輪の中間に回転を反転させる為の動力伝達輪を設けること無しに、同方向に回転する動力伝達装置を提供する。【解決手段】被駆動輪４の円周上の点Ｂから円内部の点Ｃまで、円の面に対して垂直に設けた受け板５に、駆動輪２の先端部Ｐが、接しながら点Ｂから点Ｃに向かう方向に回転する装置により、この課題を解決する。【選択図】図１
2013087944.tif 000002
【特許請求の範囲】
【請求項１】
被駆動輪（４）の円周上の任意の点から円内部にかけて、円の面に対して垂直に設けた受け板（５）に、駆動輪（２）の先端部が接しながら回転する時、被駆動輪も駆動輪と同方向に回転する動力伝達装置。
【発明の詳細な説明】
【技術分野】
【０００１】  本発明は、回転軸方向に並設され、接触することで動力を直接授受する駆動輪と被駆動輪が、同方向に回転する動力伝達装置に関する。
【背景技術】
【０００２】  従来の歯車やフリクションドライブなどによる動力伝達では、回転軸方向に並設され、接触する駆動輪と被駆動輪は相反する方向に回転する。
【発明の概要】
【発明が解決しようとする課題】
【０００３】  しかし、これでは、駆動輪と被駆動輪を同方向に回転させる為に、両輪の中間に回転方向を反転させる為の動力伝達輪を必要とする。すなわち、同じ回転方向を伝達する為に３本の回転軸が必要となり、非効率である。この中間輪が無くとも、接触する駆動輪と被駆動輪が同方向に回転する動力伝達装置の提供を課題とする。
【課題を解決するための手段】
【０００４】  本発明は、図１に示したように、被駆動輪４の円周上の点Ｂから円内部の点Ｃまで、円の面に対して垂直に設けた受け板５に、駆動輪２の先端部Ｐが、接しながら点Ｂから点Ｃに向かう方向（矢印Ｅの方向）に回転する動力伝達装置である。
図２は動作原理図であり、駆動輪２の先端部Ｐと被駆動輪４に設けた受け板５の接点において、受け板５が受ける力を成分ごとにベクトルで示している。受け板５が受ける力の合力、すなわち板の面に垂直方向の力をベクトルＦｖ、ベクトルＦｖの点Ａ方向の成分をベクトルＧｖ、ベクトルＧｖに対する点Ａからの反作用をベクトルＧｉｖ、そして、ベクトルＦｖの被駆動輪４の回転方向成分をベクトルＲｖとする。この時、ベクトルＧｖとベクトルＧｉｖは打ち消し合い、ベクトルＲｖだけが残る。図２より、ベクトルＲｖは受け板５（線分ＢＣ）の任意の点において、駆動輪と被駆動輪が同方向に回転する方向を向いており、その絶対値は点Ｂにおいて最大、点Ｃにおいて０となる。
すなわち、本動力伝達装置では、接触する駆動輪と被駆動輪が同方向に回転する。よって上記課題が解決される。
【発明の効果】
【０００５】  本発明により、回転軸方向に並設され、接触する駆動輪と被駆動輪を同方向に回転させる際、両輪の中間に回転方向を反転させる為の動力伝達輪を必要とせず、駆動輪と被駆動輪の２つの回転軸だけ設ければよくなる。
【図面の簡単な説明】
【０００７】
【図１】  本発明に係る駆動輪と被駆動輪の構成要素と配置である。
【図２】  本発明に係る動力伝達の動作原理図である。
【図３】  本発明に係る動力伝達装置を、連続的に正転及び逆転させる場合の模式図である。
【発明を実施するための形態】
【０００８】  図１及び図２で示したように、被駆動輪４に設けた一枚の受け板５が駆動輪２による接触を受けた時、回転できる角度は最大４５°である。従って、一回転させる為には、受け板と駆動輪の先端のセットが八対必要である。
ここで、被駆動輪の回転速度が駆動輪の回転速度以下の時、駆動輪の先端は被駆動輪の円周内を、被駆動輪中心から見て最大で１８０°移動するから、一枚の被駆動輪上では、受け板同士は回転方向に１８０°離しておく必要がある。
以上を考慮して、本発明に係る動力伝達装置を、連続的に正転及び逆転させる場合の模式図を図３に示す。まず、一枚の被駆動輪には回転方向に１８０度離して２組の受け板を設ける。この被駆動輪を４枚用意し、それぞれを回転方向に４５度ずらして、回転軸方向に配置する。次に駆動輪については、受け板に接する先端を１８０度間隔で持つものを４枚用意する。そして被駆動輪と同様に、それぞれを回転方向に４５度ずらして、回転軸方向に配置する。これらの駆動輪と被駆動輪が、正転及び逆転できるように配置した模式図が図３である。
【実施例】
【０００９】  被駆動輪の受け板より外側（円周側）の円盤部分は、無くてもよい。
【符号の説明】
【００１０】１  駆動輪の回転軸
２  駆動輪
３  被駆動輪の回転軸
４  被駆動輪
５  受け板
Ａ  被駆動輪の中心
Ｂ  被駆動輪の円周上の点（受け板の端点）
Ｃ  被駆動輪上の線分ＢＤの中点（受け板の端点）
Ｄ  点Ｂから中心角９０度の位置にある被駆動輪の円周上の点
Ｅ  駆動輪と被駆動輪の回転方向
Ｈ  点Ｐと点Ａを結ぶ直線に対する垂線の内、点Ｐを通るもの
Ｐ  駆動輪２の先端部
Ｆｖ  受け板５が駆動輪２から受ける力の合力ベクトル
Ｇｖ  Ｆｖの回転軸Ａ方向の成分ベクトル
Ｇｉｖ  Ｇｖに対する回転軸Ａからの反作用ベクトル
Ｒｖ  Ｆｖの被駆動輪４の回転方向成分ベクトル
【図１】
2013087944.tif 000003
【図２】
2013087944.tif 000004
【図３】
2013087944.tif 000005
(57)【要約】【課題】上下二段に花を飾ることのできる墓用花立を提供する。【解決手段】いずれも上部に花を挿すための花挿入穴を備えた柱状本体部と可動部からなる。該本体部の中段には、該可動部を収納するための凹部が正面から内部に向かって形成されており、該可動部はその底部が該凹部の棚に枢支され、該可動部を手前に傾けると、該可動部の花挿入穴が該凹部から現われるように構成される。【選択図】図２
2013087568.tif 000002
【特許請求の範囲】
【請求項１】
いずれも上部に花を挿すための花挿入穴を備えた本体部と可動部からなり、該本体部の中段には、該可動部を収納するための凹部が正面から内部に向かって形成されており、該可動部はその底部が該凹部の棚に枢支され、該可動部を手前に傾けると、該可動部の花挿入穴が該凹部から現われるように構成された二段花立。
【請求項２】
該凹部の棚に半円形断面の溝が左右方向に形成されており、該可動部はその底部に、該溝にはまり込む円形断面部を有する請求項１に記載の二段花立。
【請求項３】
該可動部の後面に突起を設け、その突起がはまり込む穴を本体部凹部に形成した請求項１または２に記載の二段花立。
【発明の詳細な説明】
【技術分野】
【０００１】
この発明は、二段に花を飾ることのできる墓用花立に関する。
【背景技術】
【０００２】
従来の墓用花立は受け入れ可能な花の量が少なく、特に参拝人が多いお盆時期には、花を挿すところがなくて困ることがある。
【０００３】
そこで、花立を二段構造にしたものが知られている（特許文献１）。このものでは、基台の上に垂直軸周りに回動できるよう可動花立を取り付け、その上に被せるように固定花立を置く。固定花立は、その前面、外側面および底面に面した空洞が設けてあり、この空洞の中に、すでに取り付けてある可動花立が収まる。空洞に収まっている可動花立を、支持軸周りに手前に回動させて、外に振り出すと、それまで隠れていた可動花立の花挿入穴が現れ、固定花立だけでなく回動花立にも花を挿すことができるようになる。しかし、この種の二段花立は、構造が複雑になり、製造コストが高いという欠点がある。
【先行技術文献】
【特許文献】
【０００４】
【特許文献１】特許公開２０１１−３８２７８号公報
【発明の概要】
【発明が解決しようとする課題】
【０００５】
この発明は、二段に花を飾ることができ、しかも、丈夫で壊れにくく、安価に提供できる墓用花立を提供することを課題とする。
【課題を解決するための手段】
【０００６】
この発明に係る二段花立は、いずれも上部に花挿入穴を備えた本体部と可動部からなっており、該本体部の中段には、該可動部を収納するための凹部が正面から内部に向かって形成されている。該可動部はその底部が該凹部の棚に枢支されており、該可動部を手前に傾けると、該可動部の花挿入穴が凹部の外に現われるように構成されている。
【０００７】
このように、本体凹部内に収まっている可動部を手前に回動して凹部の外にせり出すと、それまで隠れていた花挿入穴が現れるで、本体部と可動部のそれぞれの花挿入穴に、花を挿すことができる。また、下段の花立を使用しないとき、可動部を本体凹部の中に収めておけるので見映えがよい。さらに、本体部の両側に突出物がないので、狭い墓地にも設定できる効果がある。
【０００８】
可動部の底部を凹部の棚に枢支するため、該凹部の棚に半円形断面の溝を左右方向に形成し、該可動部の底部に、該溝にはまり込む円形断面部を設けることができる。こうすると、金属ピンや金属蝶板が不要で壊れ難い。また、可動部が壊れた場合、可動部は横に引き抜いて簡単に外すことができ、新しい可動部に簡単に取り替えることができる。
【図面の簡単な説明】
【０００９】
【図１】二段花立を設置した墓の全体斜視図である。
【図２】二段花立の分解斜視図である。
【図３】二段花立の側面図であって、（ａ）は可動部が本体部に収納された状態を、（ｂ）は可動部が前にせり出した状態をそれぞれ示す。
【発明を実施するための形態】
【００１０】
この発明の二段花立１は、図１に示すように、墓の前部両側に設置される。左右の花立１は同型である。図２に示すように二段花立１は、花崗岩等の石材から削り出した２つのブロック、すなわち柱状本体部２と可動部３から成り、それら両ブロックの各頂面には、花を差すための花挿入穴５が垂直に穿たれている。
【００１１】
図２に示すように、本体部２の前面中段には、真横から見て「コ」の字型の凹部６が形成されている。凹部６の中に収納できるよう、可動部３は凹部６にほぼ適合する外形を備えている。凹部の棚６ａには、左右方向に半円形断面の溝６ｂが形成されており、他方、可動部３の底に左右方向に沿って、該溝６ｂに係合する円形断面部３ａが形成されている。
【００１２】
可動部３を本体部凹部６に収めるときは、図２に矢印で示すように、円形断面部３ａを溝６ｂに合わせるようにして、可動部３を横から凹部６の中に押し込む。こうして可動部３を本体凹部６に収めた状態を図３（ａ）に示す。この状態では、可動部３の花挿入穴５は凹部６の中に隠れており、外からは見えない。
【００１３】
下段の可動部３に花を飾るときは、可動部３に手を掛けて、手前に倒すようにする。すると、可動部３は、溝６ｂに係合している円形断面部３ａを中心に回動して、凹部６から手前にせり出して来る。こうして、最終的に可動部３の角部３ｂが凹部６の天井６ｃに当接し、可動部はそのままの傾いた姿勢を保つ（図３(ｂ)）。このように可動部３がいっぱいに前にせり出した状態では、可動部の重心３ｃが溝６ｂより前側にあり、可動部が後方に倒れることはない。
【００１４】
こうして、可動部３の花挿入穴５が凹部６の外に現われるので、この穴に花を立てる。実際に花を挿すときは、図３(ｂ)に示すように、各花挿入穴５に金属製の水受けカップ８を差し込んで使用する。
【００１５】
花を飾らないときは、可動部３を押し込んで、図３(ａ)のように凹部６の中に収納する。
いたずら防止のため、可動部３の後面中央部に突起７を設け、その突起がはまり込む穴８を凹部６の奥の壁に形成する（図３）。こうすれば、可動部３が凹部６に収納された状態では、可動部３を外そうとして横にずらしてしても、突起７が引っかかって外れない。
【符号の説明】
【００１６】
１    二段花立
２    本体部
３    可動部
３ａ  円形断面部
５    花挿入穴
６    凹部
６ｂ  溝
７    突起
８    穴
【図１】
2013087568.tif 000003
【図２】
2013087568.tif 000004
【図３】
2013087568.tif 000005